(57)【要約】【課題】  着脱容易なカーテン構成とし、楽な作業で季節に応じて所望される風合いのカーテンに交換可能な着せ替え式カーテンを提供することである。【解決手段】  カーテン１を、カーテン芯地２とカーテン地４とを締着部材を介して着脱自在とした分離型とすると共に、前記カーテン芯地を、それぞれが所定幅の複数の矩形の芯地部材を屈曲自在に連結した構成とし、それぞれの芯地部材をピン部材３を介して回動自在に連結して帯状のカーテン芯地２を構成すると共に、前記芯地部材のピン部材装着部の外面に第一締着部材６Ａを設け、該第一締着部材と係合する第二締着部材６Ｂを有するカーテン地４を着せ替え用カーテンとして着脱自在な構成とした。【選択図】図１
0003125621.tif 000002
【実用新案登録請求の範囲】
【請求項１】
カーテンを、カーテン芯地とカーテン地とを締着部材を介して着脱自在とした分離型とすると共に、前記カーテン芯地を、それぞれが所定幅の複数の矩形の芯地部材を屈曲自在に連結した構成とし、前記締着部材をそれぞれの屈曲部に設けたことを特徴とする着せ替え式カーテン。
【請求項２】
前記芯地部材を、それぞれが所定幅の板材である、一方の端部となる第一端部芯地部材と複数の中間芯地部材と他方の端部となる第二端部芯地部材との組み合わせ構成とし、隣り合う芯地部材の屈曲部にピン部材を介して回動自在に連結して帯状のカーテン芯地を構成すると共に、前記芯地部材のピン部材装着部の外面に第一締着部材を設け、該第一締着部材と係合する第二締着部材を有するカーテン地を着せ替え用カーテンとして着脱自在としたことを特徴とする請求項１に記載の着せ替え式カーテン。
【請求項３】
前記第一および第二締着部材をそれぞれ磁石式の締着部材、または面ファスナ式の締着部材もしくはホック式の締着部材のいずれかとして、前記カーテン芯地と前記カーテン地とを着脱自在としたことを特徴とする請求項２に記載の着せ替え式カーテン。
【請求項４】
芯地部材同士の側端部を組み合わせて前記ピン部材を差し込んでピン連結する際に、一方の側端部の中間部に凹部を設け、他方の側端部の中間に前記凹部に係合する凸部を設け、前記凹部と凸部とにそれぞれピン挿通孔を設けて、前記凹部と凸部とのピン挿通孔を連通するように前記ピン部材を挿入して装着すると共に、一本置き同士の前記ピン部材の上部に、ゴム部材やコイルバネ等の付勢部材を装着し、芯地部材同士が互いにジグザグに屈曲するように連結したことを特徴とする請求項１から３のいずれかに記載の着せ替え式カーテン。
【請求項５】
芯地部材同士の側端部を組み合わせて前記ピン部材を差し込んでピン連結する際に、一方の側端部の中間部に凹部を設け、他方の側端部の中間に前記凹部に係合する凸部を設け、前記凹部と凸部とにそれぞれピン挿通孔を設けて、前記凹部と凸部とのピン挿通孔を連通するように前記ピン部材を挿入して装着すると共に、複数の芯地部材が順に逆方向に屈曲するように付勢する付勢部材として前記ピン部材にコイルバネを装着し、全体としてジグザグに屈曲する構成とされていることを特徴とする請求項１から３のいずれかに記載の着せ替え式カーテン。
【請求項６】
前記ピン部材の軸部中心に、カーテン吊り下げ用のカーテンフックの軸を挿脱自在な挿入孔を設け、係止部材を介して着脱自在としたことを特徴とする請求項２から５のいずれかに記載の着せ替え式カーテン。
【請求項７】
前記カーテン地の前記第二締着部材が装着されている面の反対側の面に、新たなカーテン地を着脱自在とする第三の締着部材をカーテン地の上下に設けて、前記着せ替え用カーテン上に新たな第二の着せ替え用カーテンを着脱自在とし、上下の前記第三の締着部材を介して、カーテン面同士が離反しないようにしたことを特徴とする請求項２から６のいずれかに記載の着せ替え式カーテン。
【考案の詳細な説明】
【技術分野】
【０００１】  本考案は、カーテンに係り、特に季節等に応じてカーテンの柄や色合いを変更する際にいちいちカーテンフックを取り外してカーテンを交換することなく、所望のカーテン地を容易に着脱可能とする着せ替え式カーテンに関するものである。
【背景技術】
【０００２】  従来、カーテンは、その上部に芯地が装着されており、カーテン地の強度を増加すると共に、カーテンレールに装着する際の吊り下げ用のフックを装着する部分を設けている。そのために、カーテンを取り外すあるいは交換する際には、前記フックを全て取り外す作業が必要である。【０００３】  また、日本では四季の変化が明瞭であり、その季節毎に、カーテンの模様や色合い、または質感や重量感を変更することが望まれており、インテリア性を高めるために所望のカーテン地に定期的に交換することが望まれている。【０００４】  そのために、カーテンレールに吊下される主カーテンのすそ部分の柄のみを変更可能とするインテリア性の高い組合せ式カーテンが既に出願されている。（例えば、特許文献１参照）。
【特許文献１】  登録実用新案第３０１４９２８号公報
【考案の開示】
【考案が解決しようとする課題】
【０００５】  一般にカーテンは、その上部に装着されたフックを、カーテンレールの吊具に引っ掛けて吊り下げられている。そのために、カーテンを装着する際には、重たいカーテンを持ち上げる作業や、足台や椅子に乗って手を伸ばしてフックを装着する作業等を行う必要があり、家庭の主婦や高齢者にとっては、容易な作業ではない。【０００６】  また、カーテンは、カーテンレールの吊具に引きかけられたフックを介して吊り下げる構成のために、上下に長く屈曲した線状のガイドフックを上に持ち上げるようにして、ガイドレールから取り外す作業となり、楽な作業ではない。【０００７】  さらに、フック式のカーテンでは、カーテンレールの吊具からフックをいちいち取り外すために、作業の途中でフックを落としてしまい紛失するという問題もある。【０００８】  本考案の目的は、上記問題点に鑑み、着脱容易なカーテン構成とし、楽な作業で季節に応じて所望される風合いのカーテンに交換可能な着せ替え式カーテンを提供することである。
【課題を解決するための手段】
【０００９】  上記の目的を達成するために請求項１に係る考案は、カーテンを、カーテン芯地とカーテン地とを締着部材を介して着脱自在とした分離型とすると共に、前記カーテン芯地を、それぞれが所定幅の複数の矩形の芯地部材を屈曲自在に連結した構成とし、前記締着部材をそれぞれの屈曲部に設けた着せ替え式カーテンとしたことを特徴としている。【００１０】  上記の構成を有する請求項１に係る考案によれば、カーテンレールにカーテン芯地を装着した後で、所望のカーテン地を選択して装着することが容易となり、着せ替え作業を楽に行うことができる。また、連結部となる屈曲部に締着部材を設けるので、折れ曲がり部の山部と谷部でカーテン地を締結することになり、カーテン芯地の折れ曲がり形状に応じた形状の襞を形成することができる。【００１１】  請求項２に係る考案は、前記芯地部材を、それぞれが所定幅の板材である、一方の端部となる第一端部芯地部材と複数の中間芯地部材と他方の端部となる第二端部芯地部材との組み合わせ構成とし、隣り合う芯地部材の屈曲部にピン部材を介して回動自在に連結して帯状のカーテン芯地を構成すると共に、前記芯地部材のピン部材装着部の外面に第一締着部材を設け、該第一締着部材と係合する第二締着部材を有するカーテン地を着せ替え用カーテンとして着脱自在な着せ替え式カーテンとしたことを特徴としている。【００１２】  上記の構成を有する請求項２に係る考案によれば、芯地部材を木製や樹脂製の板材とすることで、所望の形状の芯地部材を容易に得ることができる。特に、樹脂製の芯地部材であれば、所望の色合いで所望サイズのものを大量に、また安価に製造可能となる。また、中間芯地部材の連結数量を増減するだけで、任意の幅のカーテンに対応可能となる。【００１３】  請求項３に係る考案は、前記第一および第二締着部材をそれぞれ磁石式の締着部材、または面ファスナ式の締着部材もしくはホック式の締着部材のいずれかとして、前記カーテン芯地と前記カーテン地とを着脱自在としたことを特徴としている。【００１４】  上記の構成を有する請求項３に係る考案によれば、それぞれの形式の締着部材を着脱する操作でワンタッチでカーテンを着せ替えることができ、従来のカーテンを持ち上げて、吊具にフックを引っ掛ける操作が不要となり、カーテンの交換作業が容易となる。【００１５】  請求項４に係る考案は、芯地部材同士の側端部を組み合わせて前記ピン部材を差し込んでピン連結する際に、一方の側端部の中間部に凹部を設け、他方の側端部の中間に前記凹部に係合する凸部を設け、前記凹部と凸部とにそれぞれピン挿通孔を設けて、前記凹部と凸部とのピン挿通孔を連通するように前記ピン部材を挿入して装着すると共に、一本置き同士の前記ピン部材の上部に、ゴム部材やコイルバネ等の付勢部材を装着し、芯地部材同士が互いにジグザグに屈曲するように連結したことを特徴としている。【００１６】  上記の構成を有する請求項４に係る考案によれば、芯地部材の連結部をジグザグに屈曲することができるので、カーテン地をジグザグに波打たせて襞状に変形させることができる。さらに、付勢部材の付勢力を加減することで、任意の大きさの襞を形成することが可能となり、カーテン地そのもの��襞を設けるコストを削減することができる。【００１７】  請求項５に係る考案は、芯地部材同士の側端部を組み合わせて前記ピン部材を差し込んでピン連結する際に、一方の側端部の中間部に凹部を設け、他方の側端部の中間に前記凹部に係合する凸部を設け、前記凹部と凸部とにそれぞれピン挿通孔を設けて、前記凹部と凸部とのピン挿通孔を連通するように前記ピン部材を挿入して装着すると共に、前記ピン部材にコイルバネを装着し、複数の芯地部材が順に逆方向に屈曲するように付勢し全体として波打つ構成とされていることを特徴としている。【００１８】  上記の構成を有する請求項５に係る考案によれば、複数の芯地部材を組み合わせることで任意の所定幅のカーテンを構成することができる。また、コイルバネの強さを加減することで任意の大きさの波型を形成することができる。【００１９】  請求項６に係る考案は、前記ピン部材の軸部中心に、カーテン吊り下げ用のカーテンフックの軸を挿脱自在な挿入孔を設け、係止部材を介して着脱自在としたことを特徴としている。【００２０】  上記の構成を有する請求項６に係る考案によれば、従来のカーテンレールに着脱自在となる芯地部材を備えているので、従来のカーテンレールに装着可能な着せ替え式カーテンとすることができる。【００２１】  請求項７に係る考案は、前記カーテン地の前記第二締着部材が装着されている面の反対側の面に、新たなカーテン地を着脱自在とする第三の締着部材をカーテン地の上下に設けて、前記着せ替え用カーテン上に新たな第二の着せ替え用カーテンを着脱自在とし、上下の前記第三の締着部材を介して、カーテン面同士が離反しないようにしたことを特徴としている。【００２２】  上記の構成を有する請求項７に係る考案によれば、春夏兼用型の薄いレースカーテンと所定の絵柄の室内用カーテン地を組み合わせることが容易となる。
【考案の効果】
【００２３】  本考案によれば、カーテン芯地とカーテン地とを別体として組み合わせる構成としたので、カーテン芯地をカーテンレールに装着したままで、所望のカーテン地に容易に変更することができる。さらには、締着部材を介して着脱自在としているので、カーテンの着せ替え作業を楽に行うことができる。また、芯地部材の連結部をジグザグに屈曲すると共に連結部となる折れ曲がり部に締着部材を設ける構成としているので、折れ曲がり部の山部と谷部でカーテン地を締結することになり、カーテン地そのものに襞を設けなくても、綺麗な形状の襞を形成する着せ替え式カーテンを得ることができる。
【考案を実施するための最良の形態】
【００２４】  以下、本考案に係る着せ替え式カーテンの実施の形態について、図１および図２に基づいて詳細に説明する。【００２５】  図１には本考案に係る着せ替え式カーテンの概略全体図を示しており、（ａ）は正面図であり、（ｂ）は側面図である。図２は本考案に係るカーテン芯地の一例を示しており、（ａ）は概略正面図であり、（ｂ）は平面図である。【００２６】  図１（ａ）に示すように本考案に係る着せ替え式カーテン１は、複数の芯地部材を回動自在に連結した帯状のカーテン芯地２と、カーテン芯地同士を連結するピン部材３とカーテン地４を備えている。また、カーテン地４を二重とし、内側のカーテン地４Ａと外側のカーテン地４Ｂとして組み合わせる構成としてもよい。【００２７】  前記ピン部材３は、その軸部中心に、カーテン吊り下げ用のカーテンフック５の軸を挿脱自在なフック軸挿入孔３ａが設けられている。また、挿入したフック軸を固定する係止部材（不図示）を設けることで、係止部材を締付けたり緩めたりして着脱自在とすることができる。そのために、カーテン芯地２を構成する芯地部材を、例えば、それぞれが所定幅の木製や樹脂製の板材を連結した構成とすることで、所定ピッチ毎のカーテンレールの吊具にカーテン芯地２を装着することができる。また、一方の端部となる第一端部芯地部材２Ａと複数の中間芯地部材２Ｂと他方の端部となる第二端部芯地部材２Ｃとを組み合わせた構成としている。さらに、それらの連結部をピン部材３を介して回動自在に連結している。【００２８】  芯地部材は木製や樹脂製の板材以外に、硬質の紙材や金属板でも可能であり、所望の色合いや模様を描写できるものが好ましい。また、芯地部材の連結部がピン部材３を介して回動自在な構成としているので、一本置き同士の前記ピン部材３の上部に、ゴム部材やコイルバネ等の付勢部材を装着することで、芯地部材同士が互いにジグザグに屈曲するように連結することができる。芯地部材同士をジグザグに連結して波状に変位したカーテン芯地２を、カーテンレールに装着する際には、前記カーテンフック５は、ピン部材３の一本置きに装着すればよいことは明らかである。【００２９】  また、芯地部材同士の側端部を組み合わせて前記ピン部材３を差し込んでピン連結する際に、一方の側端部の中間部に凹部２ａを設け、他方の側端部の中間に前記凹部２ａと係合する凸部２ｂを設け、前記凹部と凸部とにそれぞれピン挿通孔を設けて、前記凹部と凸部とのそれぞれのピン挿通孔を連通するように前記ピン部材３を装着している。さらに、付勢部材を装着して、複数の芯地部材が互いにジグザグに屈曲するように構成することができる。このためには、例えば図示するように、前記ピン部材３にコイルバネ７を装着することや、一本置き同士のピン部材３の上部に、不図示のゴム部材やコイルバネを装着することで、芯地部材同士が互いにジグザグに屈曲するように連結可能となる。【００３０】  また、芯地部材２Ａ、２Ｂ、２Ｃのピン部材装着部の外面にそれぞれ第一締着部材６Ａを設け、該第一締着部材６Ａと係合する第二締着部材６Ｂを有するカーテン地４を着せ替え用カーテンとして着脱自在な着せ替え式カーテンとしている。【００３１】  前記第一締着部材６Ａは例��ば雌型ホックであり、前記第二締着部材６Ｂは雄型ホックであり、雄型ホックを備えるカーテン地４をワンタッチで、雌型ホックを備える芯地部材に着脱することが可能となる。また、締着部材としてはホックの他に、カーテン地に縫い込んだ磁石もしくは面ファスナ式留め具で構成することができる。しかし、ホックは小さくて安価な部品であり、着脱容易であり、装着する位置を付け替えることも容易であって、コスト負担が小さくなるので好適である。【００３２】  さらに、前記カーテン地４を二重のカーテン地とする際には、前記第二締着部材６Ｂが装着されている面の反対側の面に、新たなカーテン地を着脱自在とする第三の締着部材６Ｃをカーテン地の上下に設ける構成とすればよい。この第三の締着部材６Ｃは、例えば前記第一締着部材６Ａと同様に雌型ホックとすればよい。この構成であれば、着せ替え用カーテン４Ａ上に新たな第二の着せ替え用カーテン４Ｂを着脱自在とすることができる。また、前記第三の締着部材６Ｃも前記第一締着部材６Ａと同様に、連結部となる折れ曲がり部に設けることで、折れ曲がり部の山部と谷部でカーテン地を締結する構成とすることができる。【００３３】  上記のような構成であれば、折れ曲がり部の山部と谷部でカーテン地をしっかり締結するので、綺麗な形状の襞を形成することができる。さらには、二重のカーテン地となる着せ替え用カーテン４Ａと４Ｂとの上下のカーテン面同士が離反せず、インテリア性に優れたカーテン地を形成する。【００３４】  カーテン芯地２は前述したように、また図２（ａ）に示すように、例えばそれぞれが所定幅の樹脂板である、一方の端部となる第一端部芯地部材２Ａと複数の中間芯地部材２Ｂと他方の端部となる第二端部芯地部材２Ｃとの組み合わせ構成としている。この中間芯地部材２Ｂの配設数は、所望されるカーテンの幅に応じて変更可能であり、任意の長さの窓枠に対応することができる。さらに、それぞれの連結部に装着しているピン部材３に、コイルバネ７を介装しているので、そのコイルバネ７の付勢方向を順に逆方向とすることで、図２（ｂ）に示すように、波型にジグザグ状に変位させて、カーテン地にウエーブを掛けることができる。【００３５】  ジグザグ状に変位する大きさはコイルバネの強さを加減することで変化することは明らかであって、使用するカーテン地の種類や大きさに応じて任意の強さのカイルバネ７を用いることで、任意の大きさの波型を形成することができる。【００３６】  また、第一締着部材６Ａとしての雌型ホックを、それぞれピン部材３の装着部外面に設けることで、折れ曲がり部の山部と谷部でカーテン地を締結する構成となり、ジグザグ状に変位するカーテン芯地２に沿ったウエーブを有するカーテンとなる。【００３７】  上記したように本考案によれば、カーテン芯地とカーテン地とを別体として組み合わせる構成としたので、カーテン芯地をカーテンレールに装着したままで、所望のカーテン地に容易に変更することができる。さらには、締着部材を介して着脱自在としているので、カーテンの着せ替え作業を楽に行うことができる。また、連結部となる折れ曲がり部に締着部材を設けるので、折れ曲がり部の山部と谷部でカーテン地を締結することになり、カ��テン地そのものに襞を設けなくても、綺麗な形状の襞を形成する着せ替え式カーテンを得ることができる。【００３８】  さらには、二重のカーテン地を重ねて装着可能とすることで、レースカーテンと絵柄付カーテンとを重ねて併用することも可能となり、さらにインテリア性に富んだ着せ替え容易なカーテンを構成することができる。
【図面の簡単な説明】
【００３９】
【図１】  本考案に係る着せ替え式カーテンの概略全体図を示しており、（ａ）は正面図であり、（ｂ）は側面図である。
【図２】  本考案に係るカーテン芯地の一例を示しており、（ａ）は概略正面図であり、（ｂ）は平面図である。
【符号の説明】
【００３９】          １  着せ替え式カーテン
２  カーテン芯地
２Ａ  芯地部材
２Ｂ  芯地部材
２Ｃ  芯地部材
３  ピン部材
４  カーテン地
５  カーテンフック
６Ａ  第一締着部材
６Ｂ  第二締着部材
７  コイルスプリング
【図１】
0003125621.tif 000003
【図２】
0003125621.tif 000004